(57)【要約】【課題】簡素な構造で、且つ、照光面の意匠を自由に決めることができるスイッチ装置を提供する。【解決手段】スイッチ装置１０は、当該スイッチ装置１０に対応した階床が行き先として登録可能であれば、第１点灯回路２１の光源２１ａを発光させて操作ボタン１３の照光面１３ａ全面を第１の照度で均一に照光し、操作ボタン１３の照光面１３ａ全面が第１の照度で照光されている状態で利用者により操作ボタン１３が押圧操作され、当該スイッチ装置１０に対応する階床が行き先として登録されると、第１点灯回路２１の光源２１ａとともに第２点灯回路２２の光源２２ａも発光させて、操作ボタン１３の照光面１３ａ全面を、第１の照度よりも明るい第２の照度で均一に照光する。【選択図】図３
2008087885.tif 000002
【特許請求の範囲】
【請求項１】
エレベータの操作盤に設けられ、利用者が行き先登録の際に操作するスイッチ装置において、
当該スイッチ装置に対応する行き先が登録可能な場合に発光する光源を有する第１点灯部と、
照光面を有する操作部材と、
前記第１点灯部の光源が発光している状態で前記利用者により前記操作部材が操作され、行き先が登録された場合に発光する光源を有する第２点灯部と、
前記第１点灯部の光源及び前記第２点灯部の光源と前記操作部材の照光面との間に設けられ、前記各光源からの光を拡散して前記操作部材の照光面全面を照光させる光拡散部材とを備えることを特徴とするスイッチ装置。
【請求項２】
前記第１点灯部の光源は前記操作部材の照光面中央部と対向する位置に配置され、前記第２点灯部の光源は前記操作部材の照光面周縁部と対向する位置に配置されていることを特徴とする請求項１に記載のスイッチ装置。
【請求項３】
前記第２点灯部の光源の数が、前記第１点灯部の光源の数よりも多いことを特徴とする請求項１に記載のスイッチ装置。
【請求項４】
前記第１点灯部の光源の発光色と前記第２点灯部の光源の発光色とが異なる色とされていることを特徴とする請求項１に記載のスイッチ装置。
【請求項５】
利用者が行き先登録の際に操作するスイッチ装置が設けられた操作盤と、前記利用者による前記スイッチ装置の操作に応じて乗りかごの運行を制御する制御装置とを有するエレベータにおいて、
前記スイッチ装置が、
当該スイッチ装置に対応する行き先が前記制御装置の登録手段で登録可能な場合に発光する光源を有する第１点灯部と、
照光面を有する操作部材と、
前記第１点灯部の光源が発光している状態で前記利用者により前記操作部材が操作され、前記制御装置の登録手段で行き先が登録された場合に発光する光源を有する第２点灯部と、
前記第１点灯部の光源及び前記第２点灯部の光源と前記操作部材の照光面との間に設けられ、前記各光源からの光を拡散して前記操作部材の照光面全面を照光させる光拡散部材とを備えることを特徴とするエレベータ。
【請求項６】
登録可能な行き先の案内と前記スイッチ装置の操作による登録状況との少なくとも何れかを前記利用者に音声にて報知する音声ガイド装置を更に備えることを特徴とする請求項５に記載のエレベータ。
【発明の詳細な説明】
【技術分野】
【０００１】
本発明は、エレベータの操作盤に設けられ、利用者が行き先登録の際に操作するスイッチ装置及びこのスイッチ装置を用いたエレベータに関し、特に２系統の点灯回路を備えた二重照光式のスイッチ装置及びエレベータに関する。
【背景技術】
【０００２】
エレベータの乗りかご内や乗場には、利用者が行き先の登録などを行うための各種スイッチが設けられた操作盤が設置されている。そして、この操作盤に設けられるスイッチとして、従来より、押ボタンスイッチやタッチ式スイッチなどのスイッチ装置が用いられている。エレベータの操作盤に設けられるスイッチ装置は、登録が受け付けられたことを利用者に知らせるために、利用者により操作される操作部材に照光面を設け、操作部材が操作されてスイッチがオンされると内部の光源を発光させて、操作部材の照光面を照光する構造とされているものが多い。
【０００３】
また、エレベータが設置される建物によっては、全ての階床にエレベータの乗りかごを停止させる必要がない場合、或いは乗りかごを停止させる階床に制限を設ける必要がある場合がある。このような場合には、特定の階床への行き先登録のみを受け付ける、いわゆるエレベータ不停止階制御が行われるが、このような不停止階制御を行うエレベータに適用して有効なスイッチ装置として、二重照光式のスイッチ装置が知られている（例えば、特許文献１等を参照。）。
【０００４】
二重照光式のスイッチ装置は２系統の点灯回路を備えており、一方の点灯回路（第１点灯部）で当該スイッチ装置に対応する行き先が登録可能かどうかを示し、他方の点灯回路（第２点灯部）で当該スイッチ装置に対応する行き先の登録状況を示す構造となっている。具体的には、二重照光式のスイッチ装置は、当該スイッチ装置に対応する行き先が登録可能であれば、第１点灯部の光源を常時発光させて、例えば、操作部材に設けられた照光面の外側を照光することで、当該スイッチ装置に対応する行き先が登録可能であることを利用者に知らせている。そして、第１点灯部の光源が発光している状態で利用者により操作部材が操作されると、第２点灯部の光源を発光させて、例えば、操作部材に設けられた照光面の内側を照光することにより、当該スイッチ装置に対応する行き先が登録済みとなったことを利用者に知らせるようにしている。
【特許文献１】特開２００３−３０８７６８号公報
【発明の開示】
【発明が解決しようとする課題】
【０００５】
しかしながら、上述した従来の二重照光式のスイッチ装置は、操作部材に設けられた照光面の外側と内側とを分離して、これらの領域を第１点灯部の光源と第２点灯部の光源とで個別に照光する構造のため、第１の点灯部の光源と第２の点灯部の光源との間の遮光壁の設置や、照光面への遮光印刷等が必要となって、構造が複雑になるという問題があった。また、操作部材に設けられた照光面の外側と内側とを分離するため、意匠上の自由度が制約されるという問題があった。
【０００６】
本発明は、以上のような従来の二重照光の式スイッチ装置が有する問題点を解消すべく創案されたものであって、簡素な構造で、且つ、照光面の意匠を自由に決めることができるスイッチ装置及びこのスイッチ装置を用いたエレベータを提供することを目的としている。
【課題を解決するための手段】
【０００７】
本発明に係るスイッチ装置は、当該スイッチ装置に対応する行き先が登録可能な場合に発光する光源を有する第１点灯部と、照光面を有する操作部材と、第１点灯部の光源が発光している状態で利用者により操作部材が操作され、行き先が登録された場合に発光する光源を有する第２点灯部と、第１点灯部の光源及び第２点灯部の光源と操作部材の照光面との間に設けられ、各光源からの光を拡散して操作部材の照光面全面を照光させる光拡散部材とを備えている。
【０００８】
この本発明に係るスイッチ装置では、当該スイッチ装置に対応する行き先が登録可能であれば第１点灯部の光源が発光する。そして、第１点灯部の光源からの光が光拡散部材により拡散されて、操作部材の照光面全面を第１の照度で均一に照光する。また、第１点灯部の光源が発光している状態で利用者により操作部材が操作されて行き先が登録されると、第２点灯部の光源が発光する。そして、第２点灯部の光源からの光が第１点灯部の光源からの光とともに光拡散部材により拡散され、操作部材の照光面全面を、第１の照度よりも明るい第２の照度で均一に照光する。
【０００９】
また、本発明に係るエレベータは、利用者が行き先登録の際に操作するスイッチ装置が設けられた操作盤と、利用者による前記スイッチ装置の操作に応じて乗りかごの運行を制御する制御装置とを有するエレベータであり、操作盤に設けられるスイッチ装置が、当該スイッチ装置に対応する行き先が制御装置の登録手段で登録可能な場合に発光する光源を有する第１点灯部と、照光面を有する操作部材と、第１点灯部の光源が発光している状態で利用者により操作部材が操作され、制御装置の登録手段で行き先が登録された場合に発光する光源を有する第２点灯部と、第１点灯部の光源及び第２点灯部の光源と操作部材の照光面との間に設けられ、各光源からの光を拡散して操作部材の照光面全面を照光させる光拡散部材とを備えている。
【発明の効果】
【００１０】
本発明によれば、第１点灯部の光源と第２点灯部の光源との間に遮光壁を設置したり、照光面へ遮光印刷を施したりする必要がないので、スイッチ装置の構造を簡素にすることができる。また、第１点灯部の光源と第２点灯部の光源とで照光面全面を照光する構造であるため、照光面の外側と内側とを分離する必要がなく、照光面の意匠を自由に決めることができる。
【発明を実施するための最良の形態】
【００１１】
以下、本発明の実施の形態として、エレベータのかご操作盤に設けられる押ボタン式のスイッチ装置に本発明を適用した例について、図面を参照しながら具体的に説明する。
【００１２】
エレベータの乗りかご内部の様子を図１に模式的に示す。エレベータの乗りかご内には、図１に示すように、かご扉１側方のリターンパネル２に、乗りかご内の利用者が各種操作を行うためのかご操作盤３が設置されている。かご操作盤３は、前面が金属製のフェースプレートによって覆われており、このフェースプレートに設けられた開口部から外部を臨むように、本発明を適用したスイッチ装置１０がフェースプレートの裏面側に配設されている。
【００１３】
スイッチ装置１０は、乗りかご内の利用者が行き先階を指定して行き先を登録するためのものであり、エレベータが設置された建物の階床数に対応して各階床ごとに設けられている。これら各階床ごとのスイッチ装置１０は、それぞれエレベータ制御装置４に接続されている。そして、利用者が行き先に対応するスイッチ装置１０を操作すると、そのスイッチ装置１０からの信号がエレベータ制御装置４に伝達されて、エレベータ制御装置４の登録手段５により行き先が登録される。エレベータ制御装置４は、この登録手段５に行き先として登録されている階床へと乗りかごを順次移動させ、利用者を搬送する。なお、本実施形態のエレベータは、特定の階床への行き先登録のみを受け付ける、いわゆるエレベータ不停止階制御を行うものであり、不停止階とされた階床に対応するスイッチ装置１０が利用者により操作された場合、エレベータ制御装置４はその操作を無効として、登録手段５による登録は行われない。
【００１４】
また、本実施形態のエレベータは、乗りかご内の利用者に対して音声により各種のアナウンスを行う音声ガイド装置６を備えている。音声ガイド装置６は、エレベータ制御装置４による制御のもとで、例えば、登録可能な行き先の案内や、スイッチ装置１０の操作による登録状況などを、乗りかご内に設置されたスピーカ７から音声にて出力する。
【００１５】
本発明を適用したスイッチ装置１０の一例を図２乃至図４に示す。図２はスイッチ装置１０の斜視図、図３はスイッチ装置１０の分解斜視図、図４はスイッチ装置１０の断面図である。
【００１６】
この図２乃至図４に示すスイッチ装置１０は、外装ケース１１と、外装ケース１１の内部に収容される回路基板１２と、照光面１３ａを有する操作ボタン１３と、操作ボタン１３の裏面側に接合される光拡散板１４と、操作ボタン１３及び光拡散板１４を外装ケース１１の内部で回路基板１２と対向するように支持するボタン支持部材１５と、カバー部材１６とを備えている。
【００１７】
外装ケース１１は、例えば樹脂材料が有底の箱状に成形されてなるものであり、内部の空間にスイッチ装置１０を構成する各部材を収容できるようになっている。この外装ケース１１の相対向する一対の側面部には、図示しない固定用ボルトを挿通させるための凹部１１ａが設けられている。そして、外装ケース１１は、これら凹部１１ａから挿通された固定用ボルトによって、フェースプレートに固定支持される。
【００１８】
外装ケース１１内部の底面部には、その略中央部に位置して、基板取付用のボス１１ｂが立設されている。また、外装ケース１１内部の底面部には、四隅のコーナー部に位置して、突起１１ｃがボス１１ｂと同じ高さでそれぞれ立設されている。回路基板１２は、中央の裏面側をボス１１ｂに当接させるとともに、後述するボタンスイッチ２３が実装された位置の裏面側を突起１１ｃに当接させた状態で、当該回路基板１２に穿設された貫通孔１２ａを通してねじ部材２３がボス１１ｂに螺合されることで、外装ケース１１内部に固定支持される。
【００１９】
回路基板１２には、第１点灯回路（第１点灯部）２１と第２点灯回路（第２点灯部）２２の２系統の点灯回路が設けられている。また、回路基板１２には、その四隅に４つのボタンスイッチ２３がそれぞれ実装されている。ボタンスイッチ２３は、利用者により操作ボタン１３が押圧操作されることでオンするスイッチである。
【００２０】
第１点灯回路２１は、当該スイッチ装置１０に対応する行き先が登録可能な場合に発光する発光ダイオードなどの複数の光源２１ａを有している。すなわち、本実施形態のエレベータは上述したように不停止階制御を行っており、行き先として登録可能な階床に対応するスイッチ装置１０でのみ、第１点灯回路２１の光源２１ａが常時発光し、行き先として登録できない不停止階に対応するスイッチ装置１０では、第１点灯回路２１の光源２１ａは不点灯の状態とされる。この第１点灯回路２１の光源２１ａは、回路基板１２と操作ボタン１３とが外枠１１内部に収容されたときに、操作ボタン１３の照光面１３ａ中央部と対向するように、回路基板１２の略中央部に実装されている。
【００２１】
第２点灯回路２２は、第１点灯回路２１の光源２１ａが発光している状態で操作ボタン１３が押圧操作され、ボタンスイッチ２３がオンされることで、エレベータ制御装置４の登録手段５により行き先が登録された場合に発光する発光ダイオードなどの複数の光源２２ａを有している。すなわち、第２点灯回路２２の光源２２ａは、行き先として登録可能な階床に対応するスイッチ装置１０でのみ、利用者による操作ボタン１３の押圧操作によりボタンスイッチ２３がオンされて行き先が登録されたことを条件として発光し、行き先として登録できない不停止階に対応するスイッチ装置１０では、利用者により操作ボタン１３が押圧操作されても、第２点灯回路２２の光源２２ａは不点灯状態とされる。この第２点灯回路２２の光源２２ａは、回路基板１２と操作ボタン１３とが外枠１１内部に収容されたときに、操作ボタン１３の照光面１３ａ周縁部と対向するように、回路基板１２の周縁部、つまり第１点灯回路２１の光源２１ａが実装された位置よりも外側に実装されている。
【００２２】
図５は、回路基板１２上の第１点灯回路２１及び第２点灯回路２２の概要を等価的に示す回路図である。図５に示すように、第１点灯回路２１はエレベータ制御装置４の登録可否出力端子に接続されており、当該スイッチ装置１０に対応する階床が行き先として登録可能であれば、エレベータ制御装置４からの出力によりトランジスタ２１ｂがオンし、光源２１ａが電源に接続されて発光する。一方、当該スイッチ装置１０に対応する階床が行き先として登録できない階床であれば、トランジスタ２１ｂがオフされて、光源２１ａが電源から切り離され、不点灯の状態とされる。
【００２３】
また、第２点灯回路２２はエレベータ制御装置４の登録状況出力端子に接続されており、当該スイッチ装置１０に対応する階床が行き先として登録手段５に登録されている間はトランジスタ２２ｂがオンし、光源２２ａが電源に接続されて発光する。一方、当該スイッチ装置１０に対応する階床が行き先として未登録の状態、或いは登録後、かご位置信号に基づいて乗りかごがその階床に到着したと判定されて登録が解除されると、トランジスタ２２ｂがオフされて、光源２２ａが電源から切り離され、不点灯の状態とされる。
【００２４】
また、エレベータ制御装置４の登録手段５による行き先の登録は、不停止階制御による登録可否の情報と、ボタンスイッチ２３のオン／オフに応じたボタン入力信号とに基づいて行われる。すなわち、利用者により操作ボタン１３が押圧操作されてボタンスイッチ２３がオンすると、フォトトランジスタ２５がオンして、エレベータ制御装置４にボタンスイッチ２３がオンされたことを示すボタン入力信号が入力される。エレベータ制御装置４は、ボタン入力信号が入力されると、当該スイッチ装置１０に対応した階床が行き先として登録可能であるか否かを確認し、登録可能であれば登録手段５に行き先として登録し、登録不可であればボタン入力信号を無効とする。
【００２５】
操作ボタン１３は、例えば透明のアクリル樹脂などがボタン形状に成形されてなるものであり、その表面が、回路基板１２に設けられた第１点灯回路２１の光源２１ａや第２点灯回路２２の光源２２ａにより照光される照光面１３ａとされている。操作ボタン１３の照光面１３ａには、例えば当該スイッチ装置１０に対応する階床番号などが印刷されている。また、操作ボタン１３の裏面側には光拡散部材１４が接合されている。そして、操作ボタン１３は、光拡散部材１４と接合一体化された状態でボタン支持部材１５に支持され、外装ケース１１の内部で回路基板１２と対向するように配設される。
【００２６】
光拡散板１４は、第１点灯回路２１の光源２１ａや第２点灯回路２２の光源２２ａからの光を拡散して操作ボタン１３の照光面１３ａ全体を均一に照光するためのものであり、例えば乳白色の樹脂材料が矩形の板状に成形されてなる。この光拡散板１４は、四隅のコーナー部に穿設された貫通孔１４ａにねじ部材３１が挿入され、このねじ部材３１が操作ボタン１３の四隅に穿設されたねじ孔１３ｂに螺合されることで、操作ボタン１３の裏面側に接合一体化される。なお、本実施形態では、第１点灯回路２１の光源２１ａや第２点灯回路２２の光源２２ａからの光を拡散する部材として光拡散板１４を用いているが、光拡散板１４の代わりに、操作ボタン１３の裏面側に拡散印刷を施すようにしてもよい。
【００２７】
ボタン支持部材１５は、例えば樹脂材料が外装ケース１１の内周形状に対応した枠形状に成形されてなるものであり、その中央部に、操作ボタン１３や光拡散板１４に対応した大きさの開口部１５ａが設けられている。また、ボタン支持部材１５の裏面側（回路基板１２と対向する側）には、回路基板１２上に実装されたボタンスイッチ２３に対応する四隅のコーナー部に位置して、操作子１５ｂがそれぞれ突出形成されている。
【００２８】
ボタン支持部材１５は、開口部１５ａの端縁にて光拡散板１４が接合された操作ボタン１３の外周部を支持した状態で、外装ケース１１の内部に遊挿される。これにより、光拡散板１４が接合された操作ボタン１３が、外装ケース１１の内部において回路基板１２と対向配置される。また、このとき、ボタン支持部材１５の裏面側に設けた四隅の操作子１５ｂが、回路基板１２上に実装されたボタンスイッチ２３上に当接した状態とされる。そして、利用者により操作ボタン１３が押圧操作されると、その押圧力を受けてボタン支持部材１５が外装ケース１１の内部で回路基板１２に近接する方向に移動し、ボタン支持部材１５の裏面側に設けた操作子１５ｂにより回路基板１２上に実装されたボタンスイッチ２３が押下されて、ボタンスイッチ２３がオンされる。
【００２９】
カバー部材１６は、例えば樹脂材料が外装ケース１１の外周形状に対応した板状に成形されてなるものであり、その中央部には、操作ボタン１３の照光面１３ａを外部に露出させるための開口部１６ａが設けられている。このカバー部材１６は、開口部１６ａの端縁を操作ボタン１３の外周部に当接させ、操作ボタン１３の照光面１３ａを開口部１６ａから外部に露出させた状態で、外装ケース１１上に配置される。そして、このカバー部材１６は、外装ケース１１に設けられた係合突起１１ｄが係止部１６ｂに係止されることで、外装ケース１１に対して位置決めされた状態で外装ケース１１に取り付けられ、外装ケース１１内部を遮蔽する。
【００３０】
次に、以上のように構成される本発明を適用したスイッチ装置１０の作用について説明する。なお、以下では、当該スイッチ装置１０に対応する階床が行き先として登録可能とされているものとして説明する。
【００３１】
まず、当該スイッチ装置１０に対応する階床は行き先として登録可能とされているので、エレベータ制御装置４からの登録可否出力により回路基板１２に設けられた第１点灯回路２１の光源２１ａが発光する。第１点灯回路２１の光源２１ａからの光は、光拡散板１４により拡散され、操作ボタン１３の照光面１３ａ全面を第１の照度で均一に照光する。つまり、行き先として登録可能な階床に対応したスイッチ装置１０では、操作ボタン１３の照光面１３ａ全面が常に第１の照度で照光された状態となっている。これにより、乗りかご内の利用者は、当該スイッチ装置１０に対応した階床が登録可能であることを認識できる。なお、本実施形態のエレベータでは、上述したように、乗りかご内の利用者に対して音声により各種のアナウンスを行う音声ガイド装置６が設けられているので、当該スイッチ装置１０に対応した階床が登録可能であることを音声にて乗りかご内部に設置されたスピーカ７から出力させるようにすれば、乗りかご内の利用者に、当該スイッチ装置１０に対応した階床が登録可能であることをより確実に認識させることができる。
【００３２】
操作ボタン１３の照光面１３ａ全面が第１の照度で照光されている状態で、乗りかご内の利用者が操作ボタン１３を押圧操作すると、その押圧力によりボタン支持部材１５が外装ケース１１内で回路基板１２側に移動し、ボタン支持部材１５の操作子１５ｂにより、回路基板１２上のボタンスイッチ２３が押下される。これにより、エレベータ制御装置４にボタン入力信号が入力される。ここで、当該スイッチ装置１０に対応する階床は行き先として登録可能とされているので、エレベータ制御装置４の登録手段５は、ボタン入力信号の入力により、当該スイッチ装置１０に対応する階床を行き先として登録する。
【００３３】
エレベータ制御装置４の登録手段５により当該スイッチ装置１０に対応する階床が行き先として登録されると、エレベータ制御装置４からの登録状況出力により回路基板１２に設けられた第２点灯回路２２の光源２２ａが発光する。第２点灯回路２２の光源２２ａからの光は、第１点灯回路２１の光源２１ａからの光とともに光拡散板１４により拡散され、操作ボタン１３の照光面１３ａ全面を第１の照度よりも明るい第２の照度で均一に照光する。つまり、行き先として登録可能な階床に対応したスイッチ装置１０では、操作ボタン１３の照光面１３ａ全面が第１の照度で照光されている状態で、乗りかご内の利用者により操作ボタン１３が押圧操作されると、操作ボタン１３の照光面１３ａ全面が第１の照度よりも明るい第２の照度で照光された状態となる。これにより、乗りかご内の利用者は、当該スイッチ装置１０の操作ボタン１３の押圧操作が受け付けられて、行き先が登録されたことを認識できる。なお、この場合も、音声ガイド装置９を利用して、当該スイッチ装置１０に対応した階床が行き先として登録されたことを音声にて乗りかご内部に設置されたスピーカ７から出力させるようにすれば、乗りかご内の利用者に、当該スイッチ装置１０に対応した階床が行き先として登録されたことをより確実に認識させることができる。
【００３４】
以上のように、本発明を適用したスイッチ装置１０は、当該スイッチ装置１０に対応した階床が行き先として登録可能であれば、第１点灯回路２１の光源２１ａを発光させて操作ボタン１３の照光面１３ａ全面を第１の照度で均一に照光し、操作ボタン１３の照光面１３ａ全面が第１の照度で照光されている状態で利用者により操作ボタン１３が押圧操作され、当該スイッチ装置１０に対応する階床が行き先として登録されると、第１点灯回路２１の光源２１ａとともに第２点灯回路２２の光源２２ａも発光させて、操作ボタン１３の照光面１３ａ全面を、第１の照度よりも明るい第２の照度で均一に照光するようにしている。そして、この操作ボタン１３の照光面１３ａの明るさの違い、つまり、操作ボタン１３の照光面１３ａが照光されていない状態か、或いは、第１の照度で照光されている状態か、或いは、第１の照度よりも明るい第２の照度で照光されている状態かにより、当該スイッチ装置１０に対応する階床が行き先として登録可能であるか否か、さらには、行き先として登録されたか否かを、乗りかご内の利用者に認識させるようにしている。
【００３５】
したがって、本発明を適用したスイッチ装置１０では、従来の一般的な構造の二重照光式のスイッチ装置、つまり、操作部材に設けられた照光面の外側と内側とを分離して、これらの領域を第１点灯回路の光源と第２点灯回路の光源とで個別に照光する構造の二重照光式のスイッチ装置において必要とされていた遮光壁の設置や、照光面への遮光印刷等を不要とすることができ、その分、構成を簡素にして製造コストの低減を実現できる。また、本発明を適用したスイッチ装置１０では、遮光印刷等による照光面１３ａの意匠上の制約を排除することができ、操作ボタン１３の照光面１３ａの意匠を自由に決めることができる。
【００３６】
また、本発明を適用したスイッチ装置１０では、第１点灯回路２１の複数の光源２１ａを操作ボタン１３の照光面１３ａ中央部と対向するように回路基板１２の略中央部に集中的に実装し、第２点灯回路２２の複数の光源２２ｂを、操作ボタン１３の照光面１３ａ周縁部と対向するように、回路基板１２の周縁部に実装するようにしているので、第１点灯回路２１や第２点灯回路２２の配線の引き回しが容易となり、回路基板１２の簡素化、小型化を実現できる。
【００３７】
なお、本発明を適用したスイッチ装置１０では、第１点灯回路２１の光源２１ａの数や第２点灯回路２２の光源２２ａの数は特に限定されないが、第１の照度と第２の照度との明るさの違いを大きくして、操作ボタン１３の照光面１３ａを第１の照度で照光している状態と第２の照度で照光している状態とを利用者に容易に識別できるようにするためには、第２点灯回路２２の光源２２ａの数を、第１点灯回路２１の光源２１ａの数よりも多くすることが望ましい。このように、第２点灯回路２２の光源２２ａの数を第１点灯回路２１の光源２１ａの数よりも多くして、第１の照度と第２の照度との明るさの違いを大きくすれば、乗りかご内の利用者は、当該スイッチ装置１０に対応する階床が行き先として登録されているか否かをより確実に認識することが可能となる。
【００３８】
また、当該スイッチ装置１０に対応する階床が行き先として登録されているか否かを乗りかご内の利用者により確実に認識させるという観点では、第１点灯回路２１の光源２１ａの色と、第２点灯回路２２の光源２２ａの色とを異なる色とすることも有効である。この場合、当該スイッチ装置１０に対応する階床が行き先として登録可能であれば、操作ボタン１３の照光面１３ａが第１点灯回路２１の光源２１ａの色で照光され、当該スイッチ装置１０に対応する階床が行き先として登録されると、操作ボタン１３の照光面１３ａが第１点灯回路２１の光源２１ａの色と第２点灯回路２２の光源２２ａの色との混色で照光されることになる。そして、このような操作ボタン１３の照光面１３ａの色の違いにより、当該スイッチ装置１０に対応する階床が行き先として登録されているか否かを乗りかご内の利用者により確実に認識させることが可能となる。
【００３９】
なお、以上は、エレベータの乗りかご内のかご操作盤３に設けられて乗りかご内の利用者が行き先階を登録するために操作するスイッチ装置１０に本発明を適用した例について具体的に説明したが、本発明は、乗り場操作盤に設けられて乗り場の利用者が行き先（例えば、上下方向）を登録するために操作するスイッチ装置に対しても有効に適用可能である。
【００４０】
また、以上は、利用者の押圧操作によりスイッチがオンする押ボタン式のスイッチ装置に本発明を適用した例について説明したが、本発明は、利用者が操作部材に触れることによる静電容量の変化を検出してスイッチがオンするタッチ式のスイッチ装置に対しても有効に適用可能である。
【図面の簡単な説明】
【００４１】
【図１】エレベータの乗りかご内部の様子を示す模式図。
【図２】本発明を適用したスイッチ装置の斜視図。
【図３】本発明を適用したスイッチ装置の分解斜視図。
【図４】本発明を適用したスイッチ装置の断面図。
【図５】回路基板上の第１点灯回路及び第２点灯回路の概要を等価的に示す回路図。
【符号の説明】
【００４２】
３  かご操作盤
４  エレベータ制御装置
５  登録手段
６  音声ガイド装置
１０  スイッチ装置
１１  外装ケース
１２  回路基板
１３  操作ボタン（操作部材）
１３ａ  照光面
１４  光拡散板（光拡散部材）
１５  ボタン支持部材
１６  カバー部材
２１  第１点灯回路（第１点灯部）
２１ａ  光源
２２  第２点灯回路（第２点灯部）
２２ａ  光源
２３  ボタンスイッチ
【図１】
2008087885.tif 000003
【図２】
2008087885.tif 000004
【図３】
2008087885.tif 000005
【図４】
2008087885.tif 000006
【図５】
2008087885.tif 000007